(57)【要約】【課題】  これまでの単線的表現にとどまっているマグネットシートや製品を深みのある表現にし、単なるクリップ効果でなく教育学習効果を発揮させ、さらにカレンダーを美術性と日程計画を併せ持ったものにする。【解決手段】  マグネットシートや製品に絵画や写真・短歌や俳句・書道などの作品画像とそれに関連ある風景・絵画・作者写真等を一緒または任意に組み合わせて表示し、カレンダーにはカレンダー用紙にマグネット機能を持たせる。【選択図】図１
0003127454.tif 000002
【実用新案登録請求の範囲】
【請求項１】
絵画や写真等の作品画像とそれに関連ある風景・作者写真等を一緒に表示したマグネットシート
【請求項２】
絵画や写真等の作品画像とそれに関連ある風景・作者写真等を一緒に表示したマグネット製品
【請求項３】
短歌や俳句・書道などの作品画像とそれに関連ある風景・作者写真等を一緒に表示したマグネットシート。
【請求項４】
短歌や俳句・書道などの作品画像とそれに関連ある風景・作者写真等を一緒に表示したマグネット製品。
【請求項５】
絵画や写真・短歌や俳句・書道などの作品画像とそれに関連ある風景・作者写真等を任意に組み合わせて表示したマグネットシートと製品
【請求項６】
磁気素材あるいは磁石がつく素材や磁石がつく素材を混合したカレンダー用紙に磁石や磁石がつく素材で日程や計画・写真等を貼りつけられるカレンダーおよびその関連製品。
【考案の詳細な説明】
【技術分野】
【０００１】本考案は、絵画や写真・短歌や俳句・書道などの作品画像とそれに関連ある風景・作者写真等を一緒または任意に組み合わせ表示したマグネットシートと製品に関する。
【背景技術】
【０００２】  従来のマグネットシートや製品は絵画やキャラクターなどを強調した表現で、その絵画やキャラクター・人物・短歌などの作者等は文字で説明しているもの、どこの出身であるかなどの関連付けの表現に乏しく、表現効果が単一で深みがない。【０００３】  そのため、学校などで使用した場合に単なるクリップ効果と見た目にきれい・かわいいなどの単線的表現にとどまっている。【０００４】  予定表用マグネット黒板の場合はチョーク等で書き入れたり、必要書類をマグネットシートなどでとめている。【０００５】  しかしこれまでのカレンダーにはマグネット黒板のような機能がないため日程計画を書く欄のないものはただ飾っておくか、メモを貼り付けることをしている。
【考案の開示】
【考案が解決しようとする課題】
【０００６】  これまでの単線的表現にとどまっているマグネットシートや製品を深みのある表現にし、単なるクリップ効果でなく教育学習効果を発揮させる。【０００７】  マグネット機能を持たせ、美術性と日程計画を併せ持ったカレンダーをつくる。
【課題を解決するための手段】
【０００８】  マグネットシートや製品に絵画や写真・短歌や俳句・書道などの作品画像とそれに関連ある風景・絵画・作者写真等を一緒または任意に組み合わせて表示する。【０００９】  カレンダー用紙にマグネット機能を持たせる。
【考案の効果】
【００１０】  考案したマグネットシートや製品での教育学習効果および関連風景による旅行への誘い・故郷・古き時代などを思い出させることで脳活性化などの老人福祉対策にも効果が発揮され経済効果などに役立つ。【００１１】  カレンダー用紙にマグネット機能を持たせたマグネット機能カレンダーは事務所・家庭・学校での使いよさと贈答品や販売品として価値が高まる。
【考案を実施するための最良の形態】
【００１２】  マグネットシートや製品に絵画や写真・短歌や俳句・書道などの作品画像とそれに関連ある風景・絵画・作者写真等を一緒または任意に組み合わせて表示し、カレンダーにはカレンダー用紙にマグネット機能を持たせる。
【実施例】
【００１３】  日本の代表的な富士山の写真を背景にし、これまた日本の伝統的芸術作品である浮世絵画像とその作品名・作者名を表現したマグネットシートをつくったところこれまで以上に日本や浮世絵のよさ・深さを感じた。【００１４】  薄い鉄板を日程書き込み欄のないカレンダー用紙裏面に貼り付け、こどもの写真入りマグネットシートを子供の誕生日にはりつけたところ温かさを感じた。
【産業上の利用可能性】
【００１５】  地域観光の知名度と再認識や教育学習効果・老人福祉対策が計れ、しかもそれにともなう書籍販売・旅行・地域振興等の活発化により経済効果が期待できる。【００１６】  事務所・家庭・学校での使いよさと贈答品や販売品として価値が高まる。
【図面の簡単な説明】
【００１７】
【図１】  富士山風景と浮世絵画像とその作品名・作者を描き示した概略図である。
【図２】  マグネット機能カレンダーにマグネットシートを予定日に貼った正面図である。
【符号の説明】
【００１８】      １  富士山風景と浮世絵画像とその作品名・作者を描いたマグネットシート
２  富士山風景
３  浮世絵画像
４  浮世絵作品名
５  浮世絵作者名
６  マグネット機能カレンダー
７  カレンダー絵画
８  曜日・日付
９  マグネットシート
【図１】
0003127454.tif 000003
【図２】
0003127454.tif 000004
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
絵画や写真等の作品画像とそれに関連ある風景・作者写真等を組み合わせ表現したマグネットシート。
【請求項２】
絵画や写真等の作品画像とそれに関連ある風景・作者写真等を組み合わせ表現したマグネット品。
【請求項３】
短歌や俳句・書道等の作品画像とそれに関連ある風景・作者写真等を組み合わせ表現したマグネットシート。
【請求項４】
短歌や俳句・書道等の作品画像とそれに関連ある風景・作者写真等を組み合わせ表現したマグネット品。
【請求項５】
絵画や写真・短歌や俳句・書道等の作品画像とそれに関連ある風景・作者写真等を任意に組み合わせ表現したマグネットシート。
【請求項６】
磁気素材や磁石がつく素材・磁石がつく素材を混合したカレンダー用紙に磁石や磁石がつく素材で日程や計画・写真等が貼れる構造のカレンダー。
【手続補正書】
【提出日】平成18年8月30日(2006.8.30)
【手続補正１】
【補正対象書類名】実用新案登録請求の範囲
【補正対象項目名】全文
【補正方法】変更
【補正の内容】
【実用新案登録請求の範囲】
【請求項１】
絵画や写真等の作品画像とそれに関連ある風景・作者写真等の画像が一緒又は任意に入ったマグネットシートとカレンダーとの組み合わせ品。
【請求項２】
絵画や写真等の作品画像とそれに関連ある風景・作者写真等の画像が一緒又は任意に入ったマグネット品とカレンダーとの組み合わせ品。
【請求項３】
短歌や俳句・書道等の作品画像とそれに関連ある風景・作者写真等の画像が一緒又は任意に入ったマグネットシートとカレンダーとの組み合わせ品。
【請求項４】
短歌や俳句・書道等の作品画像とそれに関連ある風景・作者写真等の画像が一緒又は任意に入ったマグネット品とカレンダーとの組み合わせ品。
【請求項５】
絵画や写真・短歌や俳句・書道等の作品画像とそれに関連ある風景・作者写真等の画像が一緒又は任意に入ったマグネットシートとカレンダーとの組み合わせ品。
【請求項６】
磁気素材のカレンダー用紙や磁石がつく素材・磁石がつく素材を混合したカレンダー用紙と日程や計画・写真等を有する磁石や磁石がつく素材とを組み合わせたカレンダー。